(57)【特許請求の範囲】
【請求項１】
可変減衰回路を有する中間周波帯信号回路のレベル検出回路であって、前記可変減衰回路の後段から前記中間周波数帯信号を分離し増幅する増幅手段と、前記増幅手段の出力をレベル検波する検波手段と、前記検波手段の出力が第一の基準電圧より低下した場合に警報を発する第一の警報手段と、前記可変減衰回路の減衰量を設定する減衰量設定手段と、前記設定された減衰量に応じて前記第一の基準電圧を変化設定制御する第一の基準電圧設定手段とを含むことを特徴とするレベル検出回路。
【請求項２】
前記増幅手段の増幅利得が切替え可能であることを特徴とする請求項１記載のレベル検出回路。
【請求項３】
前記検波手段の出力が第二の基準電圧より上昇した場合に警報を発する第二の警報手段と、前記設定された減衰量に応じて前記第二の基準電圧を変化設定制御する第二の基準電圧設定手段とを、更に含むことを特徴とする請求項１あるいは２記載のレベル検出回路。
【発明の詳細な説明】
【０００１】
【発明の属する技術分野】
本発明はレベル検出回路に関し、特に中間周波帯信号回路のレベル検出回路に関する。
【０００２】
【従来の技術】
従来の可変減衰回路を有する中間周波（ＩＦ）帯信号回路を図５に示す。図５において増幅回路１によって増幅されたＩＦ信号は分岐回路５によって分岐されて可変減衰回路２及びレベル検波（出）回路６に夫々供給される。検波回路６の出力は判定回路７にて基準電圧と比較され警報信号が生成される。
【０００３】
可変減衰回路２の出力は増幅回路３を介して低域通過瀘波回路４へ供給され、当該瀘波器４にて高域成分の雑音が除去されてＩＦＤ出力信号として導出される。可変減衰回路２の減衰制御のために制御回路８が設けられており、この制御回路８は、記憶回路１０に格納されているディジタル制御情報を外部からの指示にて読出し当該読出し情報をＤ／Ａ変換回路９にてアナログ信号に変換した制御信号にを用いて可変減衰回路２の減衰制御をなすものである。
【０００４】
いま、例えば入力（ＩＦ）信号ｒが０〜−１５ｄＢｍまでの範囲でリニアな特性にて検波できる場合について説明する。検波回路６を使用している場合の検波回路の検波特性を図６に示す。
【０００５】
検波回路６に入るＩＦ信号ｂの標準入力レベルに対応する入力信号ｒのレベルを０ｄＢｍとすると、その時の検波電圧ｄをＡ（Ｖ）とし、レベル低下検出レベルが標準レベルに対し−５ｄＢの時、判定回路７の基準電圧ｐを−５ｄＢｍのレベルを検波した時の電圧Ｂ（Ｖ）とする。但し、Ａ＞Ｂとする。
【０００６】
検波回路６への入力レベルｂが標準レベルより５ｄＢ下がった時、レベル検波された検波電圧ｄは判定回路７によって基準電圧ｐと比較され、レベルが基準値より５ｄＢ下がったことを検出して警報信号ｆを発生する。
【０００７】
分岐回路５により分岐された他方の信号は、可変減衰回路２を介して出力レベルを制御信号ｊによりコントロールされ、増幅回路３、低域通過濾波回路４を経由して出力ａされる。可変減衰回路２にある減衰量を与える制御電圧ｊに対応するデータ値を記憶回路１０に格納しておき、外部からの制御入出力（Ｉ／Ｏ）信号ｇによって必要な記憶回路１０のアドレスを指定し、その読出し出力ｈをＤ／Ａ変換回路９にて電圧ｉに変換する。変換されたＤ／Ａ変換回路９の出力ｉは制御回路８によって可変減衰回路制御電圧ｊにさらに変換される。
【０００８】
【発明が解決しようとする課題】
図５に示す従来のＩＦ信号帯のレベル検出回路においては、可変減衰回路の前段より信号を分岐してレベル検波・検出を行っていた。しかしこの場合、可変減衰回路以降にて不具合が発生し、出力レベルの低下が発生してもその不具合が検出できない問題がある。
【０００９】
すなわち、可変減衰回路通過後に信号を分岐し、レベル検波・検出を行った場合、可変減衰器の減衰量が増えた場合、レベル検波回路の検波電圧が減衰量と共に下がり、警報検出回路の基準電圧を割込むと警報となってしまう。また、可変減衰量が増加し、レベル検波・検出器入力レベルが下がった場合、レベル検波・検出器の検出特性の直線領域を越える可能性がある。
【００１０】
本発明の目的は警報異常の発生しないレベル検出回路を提供することである。すなわち、可変減衰回路以降にて不具合が発生し、出力レペルの低下が発生しても不具合が検出できない欠点を補正し、可変減衰回路後の信号を分岐、レベル検出することにより、可変減衰回路以降の不具合によるレベル低下を検出できるようにすることを目的とする。
【００１１】
【課題を解決するための手段】
本発明によるレベル検出回路は、可変減衰回路を有する中間周波帯信号回路のレベル検出回路であって、前記可変減衰回路の後段から前記中間周波数帯信号を分離し増幅する増幅手段と、前記増幅手段の出力をレベル検波する検波手段と、前記検波手段の出力が第一の基準電圧より低下した場合に警報を発する第一の警報手段と、前記可変減衰回路の減衰量を設定する減衰量設定手段と、前記設定された減衰量に応じて前記第一の基準電圧を変化設定制御する第一の基準電圧設定手段とを含むことを特徴とする。
【００１２】
本発明の作用を述べる。ＩＦ信号のレベル検波をなすためのレベル検波回路への信号分岐用の分岐回路を可変減衰回路以降の後段に配置し、当該可変減衰回路の出力のレベル検波を行う様構成することで、異常信号レベルの検出が正確に行える。また、可変減衰回路の減衰量に応じたレベル検波回路出力の判定回路の基準電圧を設定することによって、減衰量が変化した場合でも、その減衰量に対応した警報レベル検出を行う。
【００１３】
【発明の実施の形態】
以下に、本発明の実施例について図面を参照して説明する。図１は本発明によるレベル検出回路の実施例の構成を示すブロック図であり、図５と同等部分は同一符号にて示している。図１において、本発明によるレベル検出回路の中間周波数（ＩＦ）帯増幅部は、増幅回路１、信号減衰量が外部から制御できる可変減衰回路２、増幅回路３、不要成分を除去する低域通過濾波回路４、分岐回路５をこの順に配置して構成される。
【００１４】
また、可変減衰回路２以降にてレベル検波するために、ＩＦ信号の一部を分岐する分岐回路５、レベル検波回路６の検波特性の直線範囲に入るように、そのＩＦ信号の入力レベルを補正する増幅回路１４，１５、通過する増幅回路１４，１５の経路を切替えるスイッチ（ＳＷ）１３，１６、増幅された信号を検波するレベル検波回路６、レベル検波回路６の検波電圧ｄによりレベル異常の判定を行う判定回路７を含む。
【００１５】
さらに、可変減衰回路２の減衰量に対応する制御電圧ｊのデータ値ｈ、設定した可変減衰回路２の減衰量に、１対１にて対応した判定回路７の基準電圧ｅのデータ値ｋ、可変減衰回路２の減衰量に応じて行うＳＷ１３，１６の切り替え制御データ値ｌを格納した記憶回路１０、記憶回路１０の出力ｈ，ｋをそれぞれアナログ信号ｉ，ｅに変換するＤ／Ａ変換回路９，１１、Ｄ／Ａ変換された信号ｉから可変減衰回路２の制御信号ｊを作る制御回路８、ＳＷ１３，１６を制御するＳＷ切替え制御回路１２を含んで構成される。
【００１６】
本発明の実施例の動作を説明する。可変減衰回路２が、例えば２０ｄＢの可変（減衰）範囲を有し、レベル検波回路の検波特性の直線（性を保つ）範囲が１５ｄＢであって、−５ｄＢにてレベル低下を検出するものとする。２０ｄＢの可変（減衰）範囲に比べ、レベル検波回路の検波特性の直線範囲が１５ｄＢと狭いため工夫が必要となる。
【００１７】
レベル検波器６に入力する信号ｃを、可変減衰回路２、増幅回路１，３、低域通過濾波回路４の後においた分岐回路５から得る。分岐回路５により分岐された信号の一方ｂは増幅回路１４に入力され、レベル検波回路６の検波直線範囲に入るようなレベルに増幅される。
【００１８】
増幅された信号がそのままレベル検波回路６に入力されるルート（信号ｎ）と、さらに１０ｄＢ増幅１５されるルート（信号ｏ）とをＳＷ１３，１６によって選択する。図１においてはレベル検波回路の検波特性の直線範囲を実効的に拡げるため、可変減衰回路２の減衰量が０〜１０ｄＢの範囲では増幅器１５を通らないルートが、また１１ｄＢ〜２０ｄＢの範囲では増幅器１５を通るルートが夫々選択される。
【００１９】
なお、図１に示す実施例においては、レベル検波回路の検波特性の直線範囲を実効的に拡げるため、可変減衰回路２の減衰量を０〜１０ｄＢの範囲と１１ｄＢ〜２０ｄＢの範囲とに二分しているが、必ずしも二分にこだわらず三分以上に分割することも可能である。このように可変減衰回路２の減衰量の範囲を二分することによって、レベル検波回路の検波特性の直線範囲を実効的に二倍に（三分した場合は三倍に）拡げることができる。
【００２０】
この場合、可変減衰回路２の減衰量が０ｄＢの時と１１ｄＢの時とでは、同じレベルの値がレベル検波回路６に入力ｃされ、その時のそれぞれのレベル検波電圧ｄはＡ（Ｖ）（図３参照）となる。この時の判定回路７の基準電圧ｅはＣ’（Ｖ）（Ｃ’＝Ａ−Ｂ＋Ｃ；図示せず）となるように設定される。
【００２１】
可変減衰回路２の減衰量を１０ｄＢ，２０ｄＢに設定した場合、レベル検波回路６の検波電圧ｄはＢ（Ｖ）となり、この時の判定回路７の基準電圧ｅは−１５ｄＢに対応するＣ（Ｖ）（図３参照）となるように設定される。
【００２２】
可変減衰回路２の減衰量を０→１０ｄＢ，１１→２０ｄＢに設定（変化）した場合、レベル検波回路６の検波電圧ｄはＡ→Ｂ（Ｖ）となり、この時の判定回路７の基準電圧ｅはＣ’→Ｃ（Ｖ）となるように設定される。
【００２３】
記憶回路１０は可変減衰回路２の減衰量に対応する制御電圧ｊのデータ値ｈを格納し、Ｉ／Ｏ信号ｇによって必要な記憶回路１０のアドレスを指定する。その出力ｈはＤ／Ａ変換回路９にて電圧ｉに変換される。変換されたＤ／Ａ変換回路９の出力ｉは制御回路８によって可変減衰回路制御電圧ｊに変換される。同時に、設定したい可変減衰回路２の減衰量に１対１にて対応した判定回路７の基準電圧ｅを、同様にＤ／Ａ変換回路１１によりＤ／Ａ変換して設定する。
【００２４】
また、記憶回路１０は可変減衰回路２の減衰量に対応した切替えＳＷ１３の切替え制御データｌによりＳＷ１３，１６の切替え制御回路１２の制御も行う。ＳＷ切替え制御回路１２はＳＷ１３，１６の切替え制御信号ｍによりＳＷ１３，１６の切替えを行う。記憶回路１０には、
（１）可変減衰回路２の可変（減衰）範囲２０ｄＢを、０．１ｄＢステップにて可変させる場合、２００ポイントの減衰量を設定するデータと；
（２）可変減衰回路２の減衰量＋５ｄＢ（レベル低下検出値が５ｄＢ低下）の時の検波回路６のレベル検波電圧を、判定回路７の基準電圧ｅとして設定する
可変減衰回路２の減衰量に、１対１にて対応した２００ポイントのデータ；
との２種のデータが格納されている。
【００２５】
所望する可変減衰量を設定し、かつその値から５ｄＢレベル低下を起こした場合の警報信号ｆの検出が可能となる。この時のレベル検波電圧ｄと、判定回路７の基準電圧ｅとの関係を図３に示す。
【００２６】
さらに、判定回路７に他の基準電圧Ｄ（Ｖ）をＤ＞Ｂ＞Ｃとなるように与えれば、異常（過入力）レベルの検出も可能となる。この場合の実施例を図２に、レベル検波電圧と判定回路７の基準電圧との関係を図４に示す。
【００２７】
図２において、判定回路７の他に７’を設け、記憶回路１０からの設定データ値ｑをＤ／Ａ変換回路１８にてアナログ電圧ｕに変換し、この電圧ｕを基準電圧として判定回路７’に与える。この電圧ｕがＤ（Ｖ）である。判定回路７，７’の出力ｓ，ｔは論理和（ＯＲ）回路１７にて論理和を取られて警報信号ｆとして出力される。他の構成は図１のそれと同一であり、その説明は省略する。
【００２８】
図４において、可変減衰回路２の減衰量が０ｄＢの時と１１ｄＢの時とに対応する判定回路７’の基準電圧ｕは、Ｄ’（Ｖ）（Ｄ’＝Ａ＋Ｄ−Ｂ；図示せず）となるように設定される。可変減衰回路２の減衰量を０→１０ｄＢ，１１→２０ｄＢに設定（変化）した場合、レベル検波回路６の検波電圧ｄはＡ→Ｂ（Ｖ）となり、この時の判定回路７’の基準電圧ｕはＤ’→Ｄ（Ｖ）となるように設定される。その結果、レベル警報信号ｆは設定レベル±５ｄＢを越えると出力される。
【００２９】
【発明の効果】
以上説明したように本発明は、可変減衰回路以降の回路における不具合によるレベル低下も含めたレベル異常の検出ができる効果がある。すなわち可変減衰回路以降の信号をレベル検波することにより可変減衰回路以降を含めた異常レベルを検出できる。また、可変減衰回路の減衰量に応じて、増幅回路を有する信号路に切替え、レベル検波回路の入力レベルが、検波回路の入出力特性の直線範囲内に存在するようにできる効果がある。
【００３０】
さらに、可変減衰回路の減衰量に応じて、レベル検波回路出力の判定回路の基準電圧を設定することによって、減衰量が変化した場合でも、その減衰量に対応した異常レベルの検出が行える効果がある。
【図面の簡単な説明】
【図１】本発明の実施例のブロック図である。
【図２】本発明の他の実施例のブロック図である。
【図３】本発明の実施例の検波回路の入力レベルと検波電圧との関係説明図である。
【図４】本発明の他の実施例の検波回路の入力レベルと検波電圧との関係説明図である。
【図５】従来のレベル検出回路の一例のブロック図である。
【図６】従来のレベル検出回路の一例の入力レベルと検波電圧との関係説明図である。
【符号の説明】
１，３，１４，
１５  増幅回路
２  可変減衰回路
４  低域通過濾波回路
５  分岐回路
６  レベル検波回路
７  判定回路
８  制御回路
９，１１  Ｄ／Ａ変換回路
１０  記憶回路
１２  ＳＷ切替え制御回路
１３，１６  スイッチ
【図１】
0003548945.tif 000002
【図２】
0003548945.tif 000003
【図３】
0003548945.tif 000004
【図４】
0003548945.tif 000005
【図５】
0003548945.tif 000006
【図６】
0003548945.tif 000007